(57)【要約】【課題】  従来の装置と異なり、本発明の家具の転倒自動防止装置は装置が見えぬよう、台輪の前面内側の手を入れられない密室に取り付ける為、一般家庭では取り付け難く、家具の関連業者向きである。家具の底と床面の僅かな隙間にレバーを通して支持脚の逆止解除や、上下可動の開放、又、機能停止状態等にする外部操作の為に、機能停止状態中の作業中にレバーの先端が何かに接触し停止機能が外れ、支持脚が突き出て戻らない機能は邪魔になり生産効率が落ち、配送中に装置自体を壊したり特にユーザーの自宅や事務所等の床面の傷は賠償、訴訟の心配も生じ、大切な信用にも傷がつく等で業界で採用されなかった。【解決手段】  支持脚が出ないよう停止させた状態を一時固定させ維持する装置を加えた家具の転倒自動防止装置であり、家具の外側に露出した操作レバーのつまみが何かに接触しない様にストッパーを設け、これにより支持脚停止状態を固定させ課題を解決した。【選択図】図７
2011024933.tif 000002
【特許請求の範囲】
【請求項１】
壁面に沿って設置される家具の底部台輪前方内側に、自重により家具の底面から下方に飛び出すことが出来る上下可動自在の支持脚と、
前記支持脚の側面長手方向に沿ってラックと該ラックに掛合する先端に爪部が形成されたラチエットが前記ラックと掛合する向きに一点を軸支して回転自在に設けて前記支持脚が上方へ可動するのを規制する阻止手段と、
家具の底部台輪前方内側に設けた前記支持脚の逆止を解除して、上下可動自在の状態に復帰させる復帰手段と、
前記復帰手段を操作する、前記ラチエットと当接して前記ラチエットを解除方向に回動させる当接片と前記支持脚の下方側面に設けた条溝に掛合する掛合片を有し、前記当接片と前記掛合片を左右動させて、前記支持脚の逆止と家具の底部台輪前方外側から操作できるＴ字型操作レバーを設けた復帰操作部と、
前記復帰操作部に該Ｔ字型操作レバーの左右動を一時的に阻止して前記支持脚の動きを規制する着脱可能ストッパーを設けた、
地震時の揺れ等により家具が後方に傾斜した際前記支持脚が自重で下方へ飛び出して逆止することにより前方への転倒を防止出来るようにしたことを特徴とする家具の転倒自動防止装置。
【請求項２】
前記ストッパーが、前記Ｔ字型操作レバーの掛合片を前記支持脚の下方側面に設けた条項に掛合させた状態で操作レバーを保持する切欠部を有し、前記復帰操作部に装脱着可能としたストッパーである請求項１記載の家具転倒防止装置。
【発明の詳細な説明】
【技術分野】
【０００１】
本発明は、家具内部に取り付けられる地震時における揺れによる家具の転倒自動防止装置に関する。
【背景技術】
【０００２】
本発明者は、揺れによる家具の転倒自動防止装置に関する特許を出願し(特許文献１参照)や(特許文献２参照)として公開されているが、本出願は先の出願の改良発明である。
【特許文献１】特許第３５３８４９３号  公報
【特許文献２】特開２００３−１３５１８３号  公報
【発明の開示】
【発明が解決しようとする課題】
【０００３】
本発明が解決しようとする課題は、特開２００３−１３５１８３号に記載の装置の取り付けを家具を生産する工程中に組み込んで行う場合，家具が揺れるたびに装置が作動して支持脚が飛び出し家具の生産の作業効率を著しく妨げたり、前記装置を取り付けられた家具の配送中に外部から操作するレバーのつまみが何かに当たり停止状態が解除されると自動的に作動し、装置の支持脚が突き出て装置自体の機能が壊れたり、家具の設置中に床面に傷をつける等の懸念があった。特に一般消費者の住宅の床面を傷つけると業者には大きな負担を生じ又信用も傷つくという懸念があった。    
【課題を解決するための手段】
【０００４】
そこで、本発明は、上記の課題を解決するため特開２００３−１３５１８３号で開示した装置に改良を加えて、本発明を成したものである。
すなはち、本発明は，  壁面に沿って設置される家具の底部台輪前方内側に、自重により家具の底面から下方に飛び出すことが出来る上下可動自在の支持脚と、
前記支持脚の側面長手方向に沿ってラックと該ラックに掛合する先端に爪部が形成されたラチエットが前記ラックと掛合する向きに一点を軸支して回転自在に設けて前記支持脚が上方へ可動するのを規制する阻止手段と、家具の底部台輪前方内側に設けた前記支持脚の逆止を解除して、上下可動自在の状態に復帰させる復帰手段と、前記復帰手段を操作する前記ラチエットと当接して前記ラチエットを解除方向に回動させる当接片と前記支持脚の下方側面に設けた条溝に掛合する掛合片を有する。
【０００５】
前記当接片と前記掛合片を左右動させて、前記支持脚の逆止と家具の底部台輪前方外側から操作できるＴ字型操作レバーを設けた復帰操作部と、前記復帰操作部に該Ｔ字型操作レバーの左右動を一時的に阻止して前記支持脚の動きを規制する着脱可能なストッパーを設けた。
地震時の揺れ等により家具が後方に傾斜した際前記支持脚が自重で下方へ飛び出して逆止することにより前方への転倒を防止出来るようにしたことを特徴とする家具の転倒自動防止装置である。
加えて、前記ストッパーが、前記Ｔ字型操作レバーの掛合片を前記支持脚の下方側面に設けた条項に掛合させた状態で操作レバーを保持する切欠部を有し、前記支持脚の動きを停止した状態を一時固定維持する装脱着可能としたストッパーである家具転倒防止装置である。
【発明の効果】
【０００６】
本発明の家具の転倒自動防止装置は、装置が見えぬように家具の最下部の台輪の前方内側に取り付けが出来るとともに、自重により家具の底面より下方に飛び出した前記支持脚を上方へ移動させない阻止手段を設けて、支持脚が出て前方が上がったままの状態とする構造なので揺れに速やかに自動的に対処できる。
【０００７】
そして，前記支持脚の逆止を開放して上下自由に動ける復帰状態にしたり、支持脚の動きの総てを停止させたりする手段を操作する操作部を家具の底部台輪前方の外側に設け、外部から操作できるように機能が付加されている。
【０００８】
更に、本発明の家具の転倒自動防止装置には、家具の外部からの操作により前記支持脚の停止状態を維持できる切欠部を有するストッパーを装置の回動部に差し込むことで支持脚が不意に突出して家具製造作業中の作業効率を低下させたり、運送中に家具を傷つけたり、家具を設置中に床面に傷を付けたりすることがなくなり課題を克服した。
【発明を実施するための最良の形態】
【０００９】
次に、本発明を実施例となる各図面に基づいて順次説明する。
【実施例１】
【００１０】
図１、図２は本発明の家具の転倒自動防止装置を取り行けた家具の正面図と側面の断面図を示し、図３は装置の取り付け順の説明図、図４〜図６は装置の動作の詳細を示す説明図で、図７は本発明の斜視図。図８はＴ字型レバーとストッパーの関係を示している。
【００１１】
図１は家具Ｓに取り付けられた転倒自動防止装置１の位置を示す図である。
家具の底部台輪Ｄの裏側に補強兼滑り用の三角板Ｇを避けて左右バランス良く取り付けられた転倒自動防止装置１である。
【００１２】
図２では、前記記載の転倒自動防止装置１が取り付けられた家具Ｓが揺れにより後方の壁Ｗに傾斜し前面が上がり支持脚２が下に飛び出て逆止され浮き上がったままになり前方に倒れない状態を示す断面図である。
本発明の転倒自動防止装置１の家具Ｓへの取り付け順を図３は示している。
符号１は本発明の転倒自動防止装置であり、  
２は、支持脚であり、直方体状の強化プラスチックからなり、側面にラック２aを長手方向に沿って２/３ほど多段に形成し、その下方に条溝２bを形成している。
すなはち、本発明の家具の転倒自動防止装置１の支持脚２は家具Ｓの重みに耐えるとともに地震による振動に耐え、確実に作動できるように長い年月に変化の少ない材料又形状を用いる必要がある。
例えば支持脚２は円柱形状か角柱状形のステンレスや真鍮とかの金属、又は強度に優れた合成樹脂製が望ましい。
【００１３】
符号３はラチエットであり、先方部に支持脚２のラック２aと掛合する爪部３aを有し、支持脚２のラック２aと対向する、後方部は傾斜面３bを有した三日月型をしている。（図４〜図７参照）
そして、ラチエット３には前方部より後方部が自重で下方に下がる位置に軸３cで回転自在に設けられ、先方部の爪部３aは常に支持脚２のラック２aに付勢している。
ラチエット３も支持脚２と同様に強力な素材が必要であり、支持脚２の落下のときはラチエット３の爪部３aを押し下げながら落ちるためラチエット３は軸３cより後方の重みは少なくとも支持脚２より軽くなければならない。
符号４は操作レバーであり、略Ｔ字型の細長い板状で縦軸部の中央部を拡大して軸４eを設けて回転自在に軸止し、手前側の下面に突起４aを有し、略Ｔ字型の横軸方向の先端に三角形状の凸部の当接片４dを設け、その傾斜面をラチエット３の傾斜面３bに当接出来るようにし、横軸部の反対側の先端は掛合片４cを形成して支持脚２の条溝２bに掛合出来るようにしている。（図６〜図８参照）
【００１４】
正常、停止、開放、の３操作を外部より行う為に用いる略Ｔ字型の操作レバー４は、家具Ｓの底面四方に取り付けられている補強兼滑り用の直角三角板Ｇの厚みで生じる家具Ｓの底面と床面Ｆのわずかな空間を這って外側に突き出ている為、厚みは、１ミリ以下にし強力な鋼鉄製の薄い板状か棒状となる。
前記略Ｔ字型の操作レバー４は縦軸部の略中央部を軸４eとして左右に回動する。そして、略Ｔ字型の操作レバー４の横軸部方向の先端に凸状の当接片４dを設け、外部からの操作で前記当接片４dがラチエット３の後方部傾斜面３ｂを押し上げることで、前記支持脚２のラック２aに食い込んだラチエット３の前方部の爪３aを下方に動かしてラック２aより外し、前記支持脚２を自由に解放する。(図４と図５を参照)
又、略Ｔ字型の操作レバー４縦軸部を逆方向に回動して略Ｔ字型の操作レバー４の横軸部の他の先端の掛合片４cを前記支持脚２の下方の条溝２bに食い込ませ、支持脚２の上下の動きを止めることで機能を停止状態にする。（図６、図７を参照）
【００１５】
ストッパー８は、前記機能を停止状態にした操作レバー４の縦軸部の外側に出ている先端に取り付けられたつまみ４b共々動かぬように操作レバー４の乗っている約１ミリ厚のベース５の回動部５bと家具Ｓの底面との空間の高さ約２ミリ程度の隙間一杯の形状に嵌合し、操作レバー４先端のつまみ４bを含み被せる奥行きで、厚さ約２ミリの切欠部９を有する。
前記ストッパー８をベース５のレバー回動ぶ５bに差込み、支持脚２を停止させた位置でつまみ４bを含め操作レバー４が動かぬ様にして外部からの接触圧を防ぎ、停止状態を固定させて支持脚２の飛び出るのを防止する。(図３―Ｂと図８―Ｂを参照)
【００１６】
符号５はベースであり、約３ミリ弱の板状で略中央部手前側に凹状の操作レバー４の回動部５ｂを形成し、その凹状の回動部５bは厚みは約１ミリ程度で、操作レバー４を左右動可能としている。  
操作レバー４の底部には突起部４aを設け、これに嵌合する凹所５cを前記回動部５bに３っつ設け、支持脚２を停止させる掛止、正常に働く逆止、自由に上下動出来るように開放した逆止解除、の位置を認識し操作しやすくしている。(図８―Ａを参照)
【００１７】
符号６は、ボデーであって支持脚２とラチエット３を被覆し、又、ラチエット３を回転自在に軸３cにより軸止させている。(図７を参照)
符号７は、ボデー６の前面に貼りつけた両面接着テープ、Ｄは台輪、Ｗは壁面、Ｆは床面、Ｓは家具で、Ｇは補強兼滑り用三角板である。(図１と図２と図３―Ａ参照)
【００１８】
符号８は、ストッパーを示し家具の転倒自動防止装置１の支持脚２を掛止させた位置で操作レバー４が外部の何かに接触しても動かぬように固定させる切欠部を設けている。（図３と図７と図８−Ｂ参照）
ストッパー８はベース５に設けた凹状の回動部５b一杯に嵌合し操作レバー４のつまみ４bを蓋い被せる切欠部を有する櫛型(メキシコの民族帽子テンガーハット型)である。
ストッパー８の前面部分の両端は家具Ｓの台輪Ｄに対し緩やかな曲線で接し外部からの圧力を穏やかに流しそらす形状が望ましく、これにより前記ストッパー８を前記ベース５の回動部５bより引き抜くまでは横から圧力が加わっても容易に支持脚２が動かない状態を作る。(図７と図８―Ｂ参照)
材質は強力であるが少し弾力のある樹脂で形成し、差し込まれた前記ストッパー８は弾力によりレバー回動部bから容易にはずれにくい状態で、前記ストッパー８をレバー回動部８より取り出し入れに多少の力を要する固さが望ましい。
【図面の簡単な説明】
【００１９】
【図１】本発明の実施例となる家具の転倒自動防止装置を取り付けた家具を示す正面図。
【図２】本発明の家具の転倒自動防止装置の機能が働き、後の壁側に家具が傾斜している断面図。
【図３−Ａ】本発明の家具の転倒自動防止装置の取り付け順を示す図である。
【図３−Ｂ】家具の転倒自動防止装置取り付けた後に本発明のストッパーを差し込んだ状態を示す底面図。
【図４−Ａ】本発明の家具の転倒自動防止装置をセットした状態の断面透視図。
【図４−Ｂ】本発明の家具の転倒自動防止装置をセットした状態の平面図。
【図５−Ａ】本発明の家具の転倒自動防止装置の支持脚が上下に動ける開放状態を示す断面透視図。
【図５−Ｂ】本発明の家具の転倒自動防止装置の支持脚が上下に動ける開放状態の平面図。
【図６−Ａ】本発明の家具の転倒自動防止装置の支持脚の条溝にレバーの掛合片が入り停止状態の断面透視図。
【図６−Ｂ】本発明の家具の転倒自動防止装置の支持脚の条溝にレバーの掛合片が入り停止状態の平面図。
【図７】本発明の家具の転倒自動防止装置の斜視図。
【図８−Ａ】本発明の家具の転倒自動防止装置のレバーとベース回動部の関係断面図。
【図８−Ｂ】本発明のストッパーを差し込み支持脚の停止状態の維持を示す平面図。
【符号の説明】
【００２０】
１    転倒自動防止装置
２    支持脚
２ａ  ラック
２ｂ  条項
３    ラチェット
３a    爪部
３ｂ  傾斜面
３c   軸
４    操作レバー
４ａ  突起
４ｂ  つまみ
４ｃ  掛合片
４ｄ  当接片
４ｅ  軸
５    ベース
５ｂ  レバー回動部
５c    凹所
６    ボデー      
７    両面接着テープ
８    ストッパー
９    切欠部
Ｄ    台輪
Ｆ    床面
Ｇ    三角補強兼滑り板
Ｓ    家具
Ｗ    壁面
【図１】
2011024933.tif 000003
【図２】
2011024933.tif 000004
【図３−Ａ】
2011024933.tif 000005
【図３−Ｂ】
2011024933.tif 000006
【図４−Ａ】
2011024933.tif 000007
【図４−Ｂ】
2011024933.tif 000008
【図５−Ａ】
2011024933.tif 000009
【図５−Ｂ】
2011024933.tif 000010
【図６−Ａ】
2011024933.tif 000011
【図６−Ｂ】
2011024933.tif 000012
【図７】
2011024933.tif 000013
【図８−Ａ】
2011024933.tif 000014
【図８−Ｂ】
2011024933.tif 000015